(57)【特許請求の範囲】
【請求項１】
電子ビーム蒸着により金属電極を形成する有機ＥＬディスプレイの製造装置であって、
ディスプレイ基板と蒸発源の間に前記ディスプレイ基板と平行に磁場を形成して、前記蒸発源に電子ビームが照射されることによって蒸発源から発生する２次電子がディスプレイ基板に到達することを防ぐ防止手段を設け、
前記防止手段は、前記ディスプレイ基板と前記蒸発源との間の前記蒸発源に近い位置に設置されている
ことを特徴とする有機ＥＬディスプレイの製造装置。
【請求項２】
前記防止手段が発生する磁場が前記蒸発源に照射される電子ビームと直交する方向に形成されることを特徴とする請求項１記載の有機ＥＬディスプレイの製造装置。
【請求項３】
電子ビーム蒸着により金属電極を形成する有機ＥＬディスプレイの製造装置であって、
ディスプレイ基板と蒸発源の間に前記ディスプレイ基板と平行に磁場を形成して、前記蒸発源に電子ビームが照射されることによって蒸発源から発生する２次電子がディスプレイ基板に到達することを防ぐ防止手段を設け、
前記防止手段は前記ディスプレイ基板と前記蒸発源との間に設置される共に、電気的に絶縁されていることを特徴する有機ＥＬディスプレイの製造装置。
【発明の詳細な説明】
【０００１】
【発明の属する技術分野】
本発明は有機ＥＬ（エレクトロルミネセンス）ディスプレイの金属電極の製造方法および装置に関する。
【０００２】
【従来の技術】
有機ＥＬディスプレイは、図４に示されるように、透明基板１０上に、ＩＴＯによる透明電極１１、有機ＥＬ材料層１２および金属電極１３が順次積層されて形成されている。
金属電極１３の形成には電子ビーム蒸着法が従来より用いられている。
【０００３】
金属電極１３の電子ビーム蒸着法による形成は、図５に示されるように、図示しない真空のチャンバ内に透明電極１１および有機ＥＬ材料層１２が形成された透明基板１０を設置し、ルツボ２内に設置された金属電極１２を形成させる金属電極材料１に電子ビーム発生器３より電子ビーム３Ａを照射させて溶解し、金属蒸気を発生し、発生した金属蒸気が有機ＥＬ材料層１２上に蒸着して金属電極１３が形成される。
【０００４】
【発明が解決しようとする課題】
前述した電子ビーム蒸着法によって金属電極１３を形成する場合、金属電極材料１に電子ビーム３Ａを照射させると、図５に示されるように、金属電極材料１より２次電子４が飛び出し、飛び出した２次電子が有機ＥＬ材料層１２に衝突する。
【０００５】
有機ＥＬ材料層１２に２次電子が衝突すると有機ＥＬ材料層１２を破壊し、発光効率を劣化させていた。
本発明は発光効率を劣化させない有機ＥＬディスプレイの金属電極の製造方法および装置を提供することを課題とする。
【０００６】
前述の課題を解決するために、請求項１の発明にあっては、電子ビーム蒸着により金属電極を形成する有機ＥＬディスプレイの製造装置であって、ディスプレイ基板と蒸発源の間に前記ディスプレイ基板と平行に磁場を形成して、前記蒸発源に電子ビームが照射されることによって蒸発源から発生する２次電子がディスプレイ基板に到達することを防ぐ防止手段を設け、前記防止手段は、前記ディスプレイ基板と前記蒸発源との間の前記蒸発源に近い位置に設置されている。
【０００７】
請求項２の発明にあっては、前記防止手段が発生する磁場が前記蒸発源に照射される電子ビームと直交する方向に形成される。
請求項３の発明にあっては、電子ビーム蒸着により金属電極を形成する有機ＥＬディスプレイの製造装置であって、ディスプレイ基板と蒸発源の間に前記ディスプレイ基板と平行に磁場を形成して、前記蒸発源に電子ビームが照射されることによって蒸発源から発生する２次電子がディスプレイ基板に到達することを防ぐ防止手段を設け、前記防止手段は前記ディスプレイ基板と前記蒸発源との間に設置される共に、電気的に絶縁されている。
【００１１】
【発明の実施の形態】
本発明の実施の形態を図１を参照して説明する。図１は本発明の第１の実施例の構成図である。
図１（Ａ）は側面図、図１（Ｂ）は図１（Ａ）のＸ方向より見た平面図である。
【００１２】
図１において、１は金属電極１３を形成させる金属電極材料、２は金属電極材料を設置するルツボ、３は電子ビーム発生器、また１０は透明基板、１１は透明電極、１２は有機ＥＬ材料層で、これは従来例の図５で説明した通りであり、図示しない真空チャンバ内に設けられている。
【００１３】
第１の実施例が図５で説明した従来例と異なる点は、図１（Ｂ）に示されるように、透明基板１０と平行に、かつ電子ビーム発生器３より発生される電子ビーム３Ａと直交する方向に磁石５を設置し、磁場５Ｃを発生させた点が異なる。
【００１４】
金属電極材料１に電子ビーム３Ａを照射させると、図５で説明したように２次電子４Ａ〜４Ｄが飛び出す。
２次電子の飛び出し速度は一定ではないが、図５に示されるように、電子ビーム３Ａの照射角をθとすると、θを反射角とする２次電子４Ｂ方向の速度が大となる。
【００１５】
このように飛び出した２次電子４Ａ〜４Ｄは、磁石５による磁場５Ｃにより、フレーミングの右手の法則に従って力を受け、方向が変化し、透明基板１０に到達するのを防止する。
【００１６】
すなわち、フレーミングの右手の法則によれば、飛び出した２次電子と直交する方向に磁界を加えた場合、２次電子は磁界の強さと飛び出し速度との積に比例した力を磁界と飛び出し方向との面と直交する方向に力を受け、該力によって２次電子の方向が変化する。
【００１７】
この方向変化の曲率半径をｒとすると次式が成り立つ。
ｒ＝ｍｖ／ｅＢ                  …（１）
ただし、ｍ：電子の質量
ｖ：電子の速度（磁界に垂直な成分）
ｅ：電子の電荷
Ｂ：磁界の強さ
（１）式によると、曲率半径ｒは、電子の速度ｖに比例し、磁界の強さＢに反比例する。つまり、速度の大きい電子が基板に到達しないようするためには、より大きな磁場が必要となる。
【００１８】
磁石５の設置位置は、磁石５を金属電極材料１より透明基板１０に近づけるに従って、透明基板１０への蒸着が妨げられないようにするため、磁石５のＮ極５ＡとＳ極５Ｂとの間隔を大にする必要があり、間隔を大にすると磁界の強さが弱くなる。
一方、磁石５を金属電極材料１に近づけると、電子ビーム発生器より照射される電子ビーム３Ａが磁場５の磁界によって曲げられる。
したがって、磁石５は電子ビーム３Ａに悪影響を与えない範囲で、できるだけ金属電極材料１に近づけた位置に設置するのがよい。
【００１９】
また、有機ＥＬ材料層１２に到達せず、磁場５Ｃによって捕獲された２次電子は金属電極材料１と透明基板１０との間の空間に電子雲を形成し、この電子雲によって金属電極材料１より飛び出した２次電子の速度を減速させる。
また、電子雲を形成する電子が磁石５を通して周囲に逃げてしまわないように、磁石５を周囲より絶縁した方が好ましい。
【００２０】
図２は第１の実施例による実験例を示している。実験においては基板上にＩＴＯを形成した基板を良く洗浄し、ＴＰＤを６０ｎｍ、Ａｌｑ３  を５５ｎｍ抵抗加熱蒸着法で成膜し、次に第１の実施例で説明した装置を用いてＡｌ−Ｌｉ合金を１００ｎｍ成膜した。このようにして作製した２ｍｍ角の有機ＥＬ素子の電圧輝度特性を示している。磁界を加えることにより発光効率を良くすることができる。
【００２１】
つぎに、図３を参照して、本発明の第２の実施例を説明する。
図３（Ａ）において、金属電極材料１、ルツボ２、電子ビーム発生器３、透明基板１０、透明電極１１、有機ＥＬ材料層１２は、図１で説明した第１の実施例と同じである。
【００２２】
第１の実施例と第２の実施例との異なる点は、第１の実施例では磁石５を用いたが、第２の実施例では、図３（Ａ）に示されるように、透明基板１０と平行に、透明基板１０と金属電極材料１との間に格子状の電極６を設け、該電極６に負の電圧を電源７より印加している。
【００２３】
電極６は図３（Ｂ）に示されるように、細い導電性の電線が格子状に配置された構造となっており、格子状の空間を蒸発した金属蒸気が通過して透明基板１０に到達する。
【００２４】
一方、前述したように、飛び出した２次電子４Ａ〜４Ｄは電極６に電源７より負の電圧が印加されているため、反発力が生じ、押し返されて透明基板１０に到達するのを防止している。
【００２５】
【発明の効果】
以上説明したように、金属電極材料に電子ビームを照射されて蒸発させて有機ＥＬディスプレイの金属電極を形成する際、蒸発源とディスプレイ基板との間に蒸発源から発生する２次電子がディスプレイ基板に到達するのを防ぐ防止手段を設けるようにしたので、ディスプレイ基板上に形成されている有機ＥＬ材料層が破壊されず、発光効率を良好に保つことができる。
【図面の簡単な説明】
【図１】本発明の第１の実施例の構成図である。
【図２】第１の実施例の実験例を示す図である。
【図３】本発明の第２の実施例の構成図である。
【図４】有機ＥＬディスプレイの説明図である。
【図５】従来例の説明図である。
【符号の説明】
１              金属電極材料
２              ルツボ
３              電子ビーム発生器
３Ａ            電子ビーム
４，４Ａ〜４Ｄ  ２次電子
５，５Ａ，５Ｂ  磁石
６              電極
７              電源
１０            透明基板
１１            透明電極
１２            有機ＥＬ材料層
１３            金属電極
【図１】
0003568189.tif 000002
【図２】
0003568189.tif 000003
【図３】
0003568189.tif 000004
【図４】
0003568189.tif 000005
【図５】
0003568189.tif 000006